(57)【特許請求の範囲】
【請求項１】
ゴム部材に貼り付けられる未加硫ゴムシートを押圧して前記ゴム部材と密着させる貼り付けローラーを備えた未加硫ゴムシートの圧着装置であって、
前記貼り付けローラーが、前記ゴム部材の長手方向と平行に回転すると共に、前記ゴム部材の表面形状に沿って搖動する複数のディスクローラーにより構成されており、
隣り合った前記ディスクローラーが、相互に所定の間隔を空けて、前記未加硫ゴムシートの幅方向に対して傾斜した位置に配置され、
前記複数のディスクローラーが１本の支軸に挿通されており、
前記支軸が、前記ゴム部材の幅方向に対して所定の傾斜角度で傾斜していることを特徴とする未加硫ゴムシートの圧着装置。
【請求項２】
前記支軸の傾斜角度が３〜１５°であることを特徴とする請求項１に記載の未加硫ゴムシートの圧着装置。
【請求項３】
前記ディスクローラーが金属製のディスクローラーであることを特徴とする請求項１または請求項２に記載の未加硫ゴムシートの圧着装置。
【発明の詳細な説明】
【技術分野】
【０００１】
本発明は、空気入りタイヤの製造時に使用される未加硫ゴムシートの圧着装置に関する。
【背景技術】
【０００２】
空気入りタイヤの製造に際しては、所定の長さに切断された各種の未加硫ゴム部材（以下、単に「ゴム部材」ともいう）を貼り合わせることにより生タイヤの成形が行われており、種類の異なるゴム部材同士の粘着を保つ、または下地の黒色ゴムの上に浮き出させた白色など異色のゴムをカバーする等の目的からシート状の未加硫ゴム（未加硫ゴムシート）を必要箇所に貼り付けている。
【０００３】
このとき、未加硫ゴムシートの貼り付け先となるゴム部材は様々な形状を有しているため、未加硫ゴムシートをナイロン製やゴム製などの棒状ローラーを用いて押圧しながら貼り付けることにより、未加硫ゴムシートと貼り付け先のゴム部材の間に溜まったエアを抜くようにして貼り付け先のゴム部材と密着させている。
【先行技術文献】
【特許文献】
【０００４】
【特許文献１】特開２０１０−９４９０２号公報
【発明の概要】
【発明が解決しようとする課題】
【０００５】
しかしながら、上記した従来の貼り付け方法では、貼り付け先のゴム部材に凹凸や段差がある場合に、棒状ローラーが凹凸や段差に乗り上げてしまい、未加硫ゴムシートを適切に押圧することができずに、未加硫ゴムシートと貼り付け先のゴム部材の間に溜まったエアが残る恐れがある。
【０００６】
このようなエアが溜まった状態で生タイヤを成形し加硫すると、タイヤ内部でゴム部材間の剥離が生じたり、タイヤ表面で外観不良が生じたりする恐れがあり、その程度によっては廃棄タイヤになる。
【０００７】
本発明は、未加硫ゴムシートを貼り付けた部分にエア溜まりが生じることを抑制して、エア溜まりにより発生するタイヤの内部剥離や外観不良を適切に防止することができる未加硫ゴムシートの圧着装置を提供することを課題とする。
【課題を解決するための手段】
【０００８】
本発明者は、上記課題を解決するため鋭意検討を行った結果、以下に記載する発明により上記課題が解決できることを見出し、本発明を完成させるに至った。
【０００９】
請求項１に記載の発明は、
ゴム部材に貼り付けられる未加硫ゴムシートを押圧して前記ゴム部材と密着させる貼り付けローラーを備えた未加硫ゴムシートの圧着装置であって、
前記貼り付けローラーが、前記ゴム部材の長手方向と平行に回転すると共に、前記ゴム部材の表面形状に沿って搖動する複数のディスクローラーにより構成されており、
隣り合った前記ディスクローラーが、相互に所定の間隔を空けて、前記未加硫ゴムシートの幅方向に対して傾斜した位置に配置され、
前記複数のディスクローラーが１本の支軸に挿通されており、
前記支軸が、前記ゴム部材の幅方向に対して所定の傾斜角度で傾斜していることを特徴とする未加硫ゴムシートの圧着装置である。
【００１１】
請求項２に記載の発明は、
前記支軸の傾斜角度が３〜１５°であることを特徴とする請求項１に記載の未加硫ゴムシートの圧着装置である。
【００１２】
請求項３に記載の発明は、
前記ディスクローラーが金属製のディスクローラーであることを特徴とする請求項１または請求項２に記載の未加硫ゴムシートの圧着装置である。
【発明の効果】
【００１３】
本発明によれば、未加硫ゴムシートを貼り付けた部分にエア溜まりが生じることを抑制して、エア溜まりにより発生するタイヤの内部剥離や外観不良を適切に防止することができる未加硫ゴムシートの圧着装置を提供することができる。
【図面の簡単な説明】
【００１４】
【図１】本発明に至る経過で検討した貼り付けローラーを模式的に説明する平面図である。
【図２】本発明の一実施の形態における貼り付けローラーを模式的に説明する平面図である。
【発明を実施するための形態】
【００１５】
以下、図面を参照しつつ実施の形態に基づき、本発明を具体的に説明する。
【００１６】
１．本発明に至る経過
本発明者は上記した課題の解決にあたって、未加硫ゴムシートの圧着装置に装着される貼り付けローラーについて、まず、図１に示す貼り付けローラーについて検討を行った。図１は、本発明に至る経過で検討した貼り付けローラーを模式的に説明する平面図である。
【００１７】
図１に示すように、この貼り付けローラー１では、複数のディスクローラー２（図１では６枚）を備えており、各ディスクローラー２は互いに所定の間隔を空けて、未加硫ゴムシートの幅方向に平行な１本の支軸５に挿通されている。そして、ディスクローラー２と支軸５との間には所定のクリアランスが設けられており、各々のディスクローラー２がゴム部材３および未加硫ゴムシート４の表面形状に沿って搖動するように構成されている。
【００１８】
このように構成された貼り付けローラー１を、図１に示すように、ゴム部材３の幅方向に配置して押圧することにより、それぞれのディスクローラー２がゴム部材３や未加硫ゴムシート４の表面形状に沿って搖動しながら未加硫ゴムシート４を押圧して、未加硫ゴムシート４とゴム部材３との間のエアを太矢印で示す方向に排出する。これにより、貼り付け先のゴム部材３に凹凸や段差がある場合でも、対応するディスクローラー２を除いてはこの凹凸や段差に沿って搖動せず未加硫ゴムシート４を押圧するため、ゴム部材３と未加硫ゴムシート４との間にエア溜まりが生じることを抑制することができる。
【００１９】
しかし、配置されたそれぞれのディスクローラー２の間には隙間があるため、貼り付けローラー１を回転させて未加硫ゴムシート４を押圧したとき、隣り合うディスクローラー２の間にエアが残ってエア溜まりが発生する恐れがあり、これでは未だ十分とは言えなかった。
【００２０】
そこで、本発明者はさらに検討を進め、上記した搖動可能な複数のディスクローラーが相互に所定の間隔を空けて未加硫ゴムシートの幅方向に対して傾斜した位置に配置されている本発明の貼り付けローラーに思い至った。以下、具体的な実施の形態に基づいてこの発明を説明する。
【００２１】
２．本実施の形態における貼り付けローラー
図２は、本実施の形態における貼り付けローラーを模式的に説明する平面図である。本実施の形態の貼り付けローラーは、図１の貼り付けローラーと同様に、ゴム部材３の長手方向と平行に回転すると共に、ゴム部材３の表面形状に沿って搖動する複数のディスクローラー２により構成されている。しかし、本実施の形態においては、上記したように、隣り合ったディスクローラー２を、相互に所定の間隔を空けて、未加硫ゴムシート４の幅方向に対して傾斜した位置に配置させている。
【００２２】
具体的には、本実施の形態においては、ゴム部材３の幅方向に対して所定の傾斜角度で傾斜した支軸５に各ディスクローラー２が挿通されている。なお、図示は省略するが、支軸５のディスクローラー２が挿通される部分は、各ディスクローラー２がゴム部材３の長手方向と平行に回転するように、ゴム部材３の幅方向と略平行になるように構成されている。
【００２３】
本実施の形態に係る貼り付けローラー１は、隣り合ったディスクローラー２が未加硫ゴムシート２の幅方向に対して傾斜するように配置されて、未加硫ゴムシートの一方の側縁部から他方の側縁部に向けて未加硫ゴムシート４を順次押圧している。これにより、未加硫ゴムシート４とゴム部材３との間のエアを貼り付けローラー１の進行方向だけでなく、進行方向の斜め前方にも排出させることができる。そして、進行方向の斜め前方に排出させたエアが隣り合ったディスクローラー２により、さらに斜め前方に順次排出されていくため、ディスクローラー２の間にエアが残ることを確実に防止して、エア溜まりによる内部の剥離や外観不良を適切に防止することができる。
【００２４】
このとき、貼り付けローラー１の支軸５の傾斜角度は３〜１５°であることが好ましい。傾斜角度が３°未満の場合には、隣り合ったディスクローラー２の押さえ位置が近くなり、ディスクローラー２の間にエアが残り易くなる。一方、傾斜角度が１５°を超えると、隣り合ったディスクローラー２が離れすぎてエアを逃がすことが難しくなる。
【００２５】
なお、上記した実施の形態では、直線的な支軸にディスクローラーが挿通されている場合を説明しているが、トッピングゴムシートの製造工程において使用されるバナナロールのように、湾曲した支軸にディスクローラーが挿通されて各々のディスクロールが未加硫ゴムシート４の両側縁部から中央部に向かって所定の傾斜角度で傾斜している貼り付けローラーを用いてもよい。
【００２６】
また、各々のディスクローラーは、予めメッキが施された鉄などの金属から作製されていることが好ましい。このような予めメッキが施された金属製のディスクローラーは、ナイロン製やゴム製のローラーと異なり過度に未加硫ゴムシートと密着することがなく、また変形しないため、本実施の形態のように配置することにより、より適切にエア溜まりによる内部の剥離や外観不良を適切に防止することができる。
【実施例】
【００２７】
以下、実施例を用いて具体的に本発明を説明する。
【００２８】
１．試験例１〜試験例３
（試験例１）
幅１８０ｍｍのゴム部材に、幅９０ｍｍの未加硫ゴムシートを貼り付けた後、上記した実施の形態に記載した貼り付けローラーを用いて未加硫ゴムシートを押圧することにより、両者を密着させてサイドウォールゴムを製造した。なお、本試験例においては、幅１．８ｍｍ、直径１３０ｍｍのディスクローラー２を０．３ｍｍの間隔を空けて５０枚配置し、支軸の傾斜角度を８°に設定した貼り付けローラーを用いた。
【００２９】
（試験例２）
図１に示すような長手方向に対して垂直に支軸が配置された貼り付けローラーを用いたことを除いて試験例１と同じ条件でサイドウォールゴムを製造した。
【００３０】
（試験例３）
複数のディスクローラーを備えた貼り付けローラーに替えて、ゴム製の棒状の貼り付けローラーを用いたことを除いて試験例１と同じ条件でサイドウォールゴムを製造した。なお、試験例３で用いたゴム製の貼り付けローラーの幅は１００ｍｍ、直径は１３０ｍｍである。
【００３１】
２．評価
各試験例においてサイドウォールゴムを３００個製造し、エア残りによる外観不良の発生を目視により確認し、外観不良の発生率を算出した。
【００３２】
【表１】
0006627360.tif 000002
【００３３】
表１より、棒状の貼り付けローラーを用いた試験例３に比べて、複数のディスクローラーを有する貼り付けローラーを用いた試験例１、２では、外観不良の発生が適切に抑制されていた。
【００３４】
この内、長手方向に対して垂直に支軸を配置した試験例２においては、隣り合ったディスクローラーの間にエア残りが僅かながら発生することがあった。これに対して、支軸を傾斜させた試験例１においては、このようなエア残りの発生が十分に低減されていることが確認できた。
【００３５】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３６】
１  貼り付けローラー
２  ディスクローラー
３  ゴム部材
４  未加硫ゴムシート
５  支軸
【図１】
0006627360.tif 000003
【図２】
0006627360.tif 000004